(57)【要約】      （修正有）【課題】伸縮性および着用感は、実用上支障ない程度に維持されるとともに、着用者の体温に励起されたセラミックスパウダから放射される遠赤外線が快適な温暖効果を得る。【解決手段】軟質基材にセラミックスパウダを混練して遠赤外線放射組成物とし、この遠赤外線放射組成物を用いて、編み地素材２Ｚを分断しない斑点模様３０をパンティーストッキングの表面面積の５０％を超えない範囲で付与する。【選択図】図２
0003120475.tif 000002
【実用新案登録請求の範囲】
【請求項１】
カバーリング糸をゾッキ編みしてなるパンティーストッキングまたはカバーリング糸とナイロン糸を交編編みしてなるパンティーストッキングの表面側の全部または一部に、前記ゾッキ編みまたは交編編みによる編み地素材が通常有する伸縮性を損なうことなく遠赤外線放射組成物による斑点模様を付与してなり、
前記遠赤外線放射組成物は、軟質基材と珪素系のセラミックスパウダとを混練して調製され、前記斑点模様の付与面積が斑点模様を付与する部分におけるパンティーストッキングの表面面積の５０％を超えないことを特徴とする保温性パンティーストッキング。
【請求項２】
前記斑点模様が、単一の基本図形の整然とした反復配列によって形成されていることを特徴とする請求項１に記載の保温性パンティーストッキング。
【請求項３】
前記斑点模様が、複数の基本図形の整然とした反復配列によって形成されていることを特徴とする請求項１に記載の保温性パンティーストッキング。
【請求項４】
前記遠赤外線放射組成物を構成している軟質基材とセラミックスパウダとの少なくともいずれか一方が着色処理されていることを特徴とする請求項１ないし請求項３のいずれか１項に記載の保温性パンティーストッキング。
【考案の詳細な説明】
【技術分野】
【０００１】
本考案は、着用感の低下を最小限に抑えながら、ファッション性を高めるともに衣類本来の保温機能を改善した保温性パンティーストッキングに関する。
【背景技術】
【０００２】
衣類に求められる基本的な機能は、体温保持機能であるが、衣類を構成する素材糸に遠赤外線放射能を有するセラミックスを含ませる等の手段によって、衣類の体温保持機能を高めようとする提案がなされてから既に久しい。セラミックスを含む衣類は、着用すると即座に「暖かい」と実感させる特有の効果を発揮する。本考案は、セラミックスが有する特有の温暖効果をパンティーストッキングにおいて享受し得るようにする工夫に関する。
【考案の開示】
【考案が解決しようとする課題】
【０００３】
しかし、セラミックスは、硬質の鉱物質の微粉体であり、繊維製品との親和性に乏しいことから、これを適用することができる衣類の範囲は限られている。一般的には、微細なセラミックス微粒子を脱漏なく保持することができる緻密な繊維素材による緻密な織地または編み地を採用する衣類に限られる。したがって、適用対象がパンティーストッキングような薄いネット状であって、かつ、大きな伸縮性を要求される衣類に対しては、従来の態様においては到底適用することができない。
【０００４】
そこで、パンティーストッキングのような衣類に対しては、セラミックスパウダを適当な基材に予め練り込み、これを衣類に塗布しまたは吹き付けて付着させるというような適用法方が候補に浮上することとなる。そして、このような適用方法で新たな問題が生じなければ、問題解決は容易であるが、この適用方法では、パンティーストッキングに要求される伸縮性が大幅に阻害される他、着用上の違和感や外観上の違和感が伴なうという新たな問題を発生させる。
【０００５】
本考案は、基材とセラミックスパウダとからなる遠赤外線放射組成物を塗布または吹き付けの手段でパンティーストッキングに付与した際に当然に想定されるところの上記問題を発生させることなく、すなわち、必要な伸縮性の喪失、着用感の悪化、外観上の違和感の発生を伴なうことなくセラミックスを付与したパンティーストッキングを提供することを目的とする。
【課題を解決するための手段】
【０００６】
この目的を達成するための手段として、本考案は、次のような構成を採用する。
【０００７】
本考案の請求項１に記載の保温性パンティーストッキングは、カバーリング糸をゾッキ編みしてなるパンティーストッキングまたはカバーリング糸とナイロン糸を交編編みしてなるパンティーストッキングの表面側の全部または一部に、ゾッキ編みまたは交編編みによる編み地素材が通常有する伸縮性を損なうことなく遠赤外線放射組成物による斑点模様を付与してなり、この際の遠赤外線放射組成物は、軟質基材と珪素系のセラミックスパウダとを混練して調製されるとともに、斑点模様の付与面積が斑点模様を付与する部分におけるパンティーストッキングの表面面積の５０％を超えないことを特徴とする。
【０００８】
上記構成において、斑点模様とは、例えば、水玉模様のように、独立した基本図形が互いに結合することなく多数個集合することによって形成される模様を言う。そして、この斑点模様は、遠赤外線放射組成物を使用して形成され、また、遠赤外線放射組成物は、軟質基材にセラミックスパウダを混練してなる。したがって、斑点模様を形成している各基本図形自体がある程度の伸縮性を有するとともに、各基本図形が独立していることにより、逆に言えば、パンティーストッキングを構成している編み地素材が斑点模様によって分断されていないことにより、ゾッキ編みまたは交編編み特有の伸縮性が阻害されるのを最小限に抑えることができる。また、編み地素材の伸縮性は、斑点模様を付与する面積によっても左右される。この観点からは、斑点模様の付与面積が斑点模様を付与する部分におけるパンティーストッキングの表面面積の５０％を超えないものとすることにより、伸縮性の低下を実用上支障無い範囲に止めることができる。そして、一定程度の伸縮性が維持される結果として着用感の悪化も防止される。パンティーストッキングにおける斑点模様は、基本図形の配置等によってデザイン要素として利用することが可能であり、パンティーストッキングのファッション性を高めることもできる。遠赤外線放射組成物に含まれるセラミックスパウダは、着用者の体温によって励起されて遠赤外線を放射し、明確に実感できる特有の温暖効果をもたらすことができる。
【０００９】
本考案の請求項２に記載の保温性パンティーストッキングは、斑点模様が、単一の基本図形の整然とした反復配列によって形成されていることを特徴とする。
【００１０】
上記構成は、斑点模様をパンティーストッキングのデザイン要素として積極的に活用する場合の一態様を示し、単一の基本図形のみを用いることによって斑点模様を形成するための手段を容易化することができる。
【００１１】
本考案の請求項３に記載の保温性パンティーストッキングは、斑点模様が、複数の基本図形の整然とした反復配列によって形成されていることを特徴とする。
【００１２】
上記構成は、斑点模様をパンティーストッキングのデザイン要素として積極的に活用す
る場合の他の一態様を示し、複数の基本図形を組み合わせて用いることによって多様な斑点模様デザインを創作することができる。
【００１３】
本考案の請求項４に記載の保温性パンティーストッキングは、遠赤外線放射組成物を構成している軟質基材とセラミックスパウダとの少なくともいずれか一方が着色処理されていることを特徴とする。
【００１４】
上記構成は、斑点模様をデザイン要素として活用する場合において、軟質基材とセラミックスパウダとの少なくともいずれか一方を着色処理することによって、斑点模様を色彩に係るデザイン要素として利用し得ることを示している。着色処理のための色調には技術的限定要素がなく、多様な色調を採用することができる。そして、斑点模様と色紙を組み合わせることで、暖かくて多様なデザインのパンティーストッキングを創作することが可能である。
【考案の効果】
【００１５】
本考案の保温性パンティーストッキングは、パンティーストッキングに対して、軟質基材にセラミックスパウダを混練してなる遠赤外線放射組成物を用いて、ゾッキ編みまたは交編編みによるパンティーストッキングの編み地素材を分断しない斑点模様をパンティーストッキングの表面面積の５０％を超えない範囲で付与することにより、パンティーストッキングの編み地素材が通常有する伸縮性及び着用感を阻害することなく、セラミックスパウダをパンティーストッキングに適用することに成功し、併せて、斑点模様による新規のデザイン観点を展開することを可能とした。
【考案を実施するための最良の形態】
【００１６】
以下、図面を引用しながら本考案の保温性パンティーストッキングの実施の形態を説明する。
【００１７】
保温性パンティーストッキングＰＳは、パンティーストッキング本体２０と、パンティーストッキング本体２０の任意の部位に付与する遠赤外線放射組成物による斑点模様３０とからなる（図１，図２，図３）。
【００１８】
パンティーストッキング本体２０は、一般市販製品であり、カバーリング糸をゾッキ編みしてなる編み地素材２Ｚを用いるものと、カバーリング糸とナイロン糸を交編編みしてなる編み地素材２Ｚを用いるものとが提供されているが、本考案においては、いずれの編み地素材２Ｚによるものを用いてもよい。
【００１９】
パンティーストッキング本体２０は、通常、腰バンド部２１、腰部２２、脚バンド部２３、左右の脚部２４，２４、各脚部２４の足甲部２５、爪先補強部２６、足裏部２７とからなる。なお、足甲部２５および足裏部２７は、パンティーストッキング本体２０を着用することによって他の部分から区別され、着用しない状態では明確に区別されるものではない。
【００２０】
パンティーストッキング本体２０に斑点模様３０を形成するための遠赤外線放射組成物は、軟化剤を加えて特に柔軟に調製したポリエステル、ポリウレタン樹脂、または、天然ラテックス、合成ゴム系樹脂から選択する軟質基材に珪素系のセラミックスパウダを混練してなる。セラミックスパウダは、遠赤外線放射用途のものとして提供されているものを広く採用することができる。市販のセラミックスパウダは、粒度が大きいほど高価であるが、本考案の用途においては、ざらつき感を感じない程度の粒度の低価格のもので足りる。
軟質基材に対するセラミックスパウダの配合割合は、溶剤を考慮しないで、軟質基材１００重量％に対してセラミックスパウダを５０重量％ないし３００重量％を加え混練機で均質化するまで十分に混練する。溶剤は、次に説明する斑点模様３０の形成方法との関連で必要に応じて使用する。
【００２１】
パンティーストッキング本体２０に斑点模様３０を形成するには、多数集合して斑点模様３０を構成している個々の基本図形、例えば、円形の基本図形３１を抜き孔として列設した型板を用いる。型板は、金属板製であっても樹脂板製であってもよく、既製品であるパンチングメタルを用いることも便宜である。
【００２２】
斑点模様３０は、パンティーストッキング本体２０の任意の部位、または全部分に付与することができる。しかし、斑点模様３０を形成する目的が遠赤外線放射組成物が有する遠赤外線による温暖効果を享受することにあるので、通常は、女性が冷えを訴える部位に対応する箇所に付与することになる。斑点模様３０を付与する部位を平面状に引き伸ばして型板で押さえ込む。そして、型板上からパンティーストッキング本体２０に吹き付け塗装の要領、または、ローラ塗装の要領で遠赤外線放射組成物を付与することによって、斑点模様３０を形成することができる。
【００２３】
なお、パンティーストッキング２０の背面側にも同時に斑点模様３０を形成することもできる。この場合には、人の下半身部分の平面形状に相当する人型板を準備し、人型板にパンティーストッキング本体２０を着用させて斑点模様３０の付与作業を実施する。
【００２４】
図１は、女性が冷えを訴えることが最も多いパンティーストッキング本体２０の腰部２２全体に円形の基本図形３１から構成される斑点模様３０を付与した例であり、図２は、腰部２２および両脚部２４，２４の膝下部分に斑点模様３０を付与した例である。また、図３は、足裏部２７に斑点模様３０を付与した例である。
【００２５】
斑点模様３０を付与したパンティーストッキング本体２０各部における斑点模様３０全体が占める面積割合は、付与する部分におけるパンティーストッキングの表面面積の５０％を超えないように円形の基本図形３１のサイズと間隔とが設定されている。この条件は、パンティーストッキング本体２０特有のゾッキ編みまたは交編編みによる編み地素材２Ｚが通常有する伸縮性を維持し、本来の着用感を確保する上で重要であり、斑点模様３０の占有面積が５０％を超えると着用感が急激に悪化する。また、遠赤外線放射組成物の付与面積が、５０％を下回る場合においても、斑点模様３０以外の連続模様を採用することにより着用感が阻害される結果となることから、斑点模様３０とすることに技術的な意義が認められる。
【００２６】
すなわち、パンティーストッキング本体２０の所望の部位に付与された斑点模様３０は、ネット状の編み地素材２Ｚの厚みＴ１全体に及んでいるが、個々の基本図形３１は独立している（図４）。したがって、基本図形３１によって拘束されていない部分の編み地素材２Ｚは、編み地素材２Ｚ本来の伸縮性をいかんなく発揮することができるのである。パンティーストッキング本体２０の着用感は、編み地素材２Ｚの伸縮性に依存しており、伸縮性が維持されることによって、着用感も同時に維持されるのである。そして、遠赤外線放射組成物による遠赤外線は、無指向性であり、遠赤外線放射組成物が編み地素材２Ｚの表面Ｚ１から付与されるか、あるいは、裏面Ｚ２から付与されるかにかかわらず、着用者に快適な温暖感を感じさせることができる。
【００２７】
なお、基本図形３１は、編み地素材２Ｚの表面Ｚ１側に盛り上げて形成することもできる（図５）。遠赤外線放射組成物を組成する軟質基材の粘度を高めるとともに斑点模様３０を形成する際の付着量を多目にすることによって簡単に実現することができる。このような厚肉の基本図形３１は、着用上の異物感を伴なうのであるが、この異物感は、パンティーストッキング本体２０の足裏部２７においては、却って快適感を与えることができる（図３）。床材料との関係では、有効な滑り止めとしても機能する。
【００２８】
斑点模様３０は、複数の基本図形３１，３２，３３の反復配列によって形成することもできる（図６（Ａ），（Ｂ））。同図（Ａ）は、円形の基本図形３１と右アーチ形の基本図形３２と左アーチ形の基本図形３３とを組み合わせて配列した例であり、同図（Ｂ）は、円形の基本図形３１とひし形のＬ基本図形３４とを組み合わせて配列した例である。このようにすることにより、斑点模様３０をパンティーストッキング本体２０における有効なデザイン要素として活用することができることとなる。
【００２９】
また、斑点模様３０は、任意の色彩を伴なうことができる。斑点模様３０に色彩を付与するには、遠赤外線放射組成物を構成している軟質基材とセラミックスパウダとのいずれか一方、または、双方に着色処理することにより、容易に実現するすることができるが、素肌に刺激を与えない着色剤を選定することが肝要である。軟質基材に顔料や染料を練り込むことはもとより容易であり、セラミックスパウダは染料に好適に馴染む物質である。色彩に係る斑点模様３０、単に温暖効果をもたらすのみでなく、パンティーストッキングに新しいデザインの可能性をもたらすことができるのである。
【００３０】
なお、以上の説明において、パンティーストッキングという衣類には、タイツが含まれるものとする。パンティーストッキングとタイツとの違いは、編み地素材２Ｚの厚みの違いに過ぎない場合もあり、異なる素材であっても類似する素材が使用されることが多いからである。タイツは、バレエやスケート等のウインタースポーツに使用されることから得遠赤外線放射組成物がもたらす温暖効果は、殊更に有効である。
【図面の簡単な説明】
【００３１】
【図１】保温性パンティーストッキングの実施の形態を示す正面図である。
【図２】保温性パンティーストッキングの他の実施の形態を示す正面図である。
【図３】保温性パンティーストッキングの他の実施の形態の要部を示す裏面図である。
【図４】保温性パンティーストッキングの実施の形態における要部の拡大断面図である。
【図５】保温性パンティーストッキングの実施の形態における要部の拡大断面図である。
【図６】保温性パンティーストッキングに付与する斑点模様の他の実施の形態を示す部分拡大図である。
【符号の説明】
【００３２】
ＰＳ      保温性パンティーストッキング
２０      パンティーストッキング本体
２Ｚ      編み地素材
３０      斑点模様
３１      円形の基本図形
３２      右アーチ形の基本図形
３３      左アーチ形の基本図形
３４      ひし形の基本図形
【図１】
0003120475.tif 000003
【図２】
0003120475.tif 000004
【図３】
0003120475.tif 000005
【図４】
0003120475.tif 000006
【図５】
0003120475.tif 000007
【図６】
0003120475.tif 000008